(57)【要約】【課題】薬剤の添加量を適量に調節するために要する時間を短縮することができる薬剤添加量制御方法および薬剤添加量制御装置を提供する。【解決手段】薬剤添加量制御方法は、反応ゾーンの入口部において液体に添加する薬剤の添加量を、目標地点における残留濃度が目標濃度以上となるよう制御する方法であって、反応ゾーンが完全混合型で薬剤の消費がないと仮定した場合に、薬剤を任意の濃度Ａで添加したときの、目標地点における薬剤の残留濃度の経時変化を演算する残留濃度演算工程（Ｓ５０）と、薬剤を濃度Ａで実際に添加したときの、目標地点における薬剤の残留濃度の経時変化を測定する残留濃度測定工程（Ｓ３０）と、残留濃度測定工程において測定された薬剤の残留濃度が、目標濃度に到達したあるいは到達したと推測される時点における、残留濃度演算工程での残留濃度演算値に基づき薬剤の添加量を決定する薬剤添加量決定工程（Ｓ６０）とを有する。【選択図】図１
2014164517.tif 000002
【特許請求の範囲】
【請求項１】
液体が流通する反応ゾーンの入口部において、前記液体に添加する薬剤の添加量を、前記液体の流通経路上の目標地点における前記薬剤の残留濃度が目標濃度以上となるよう制御する方法であって、（１）前記反応ゾーンが完全混合型であり、該反応ゾーンにおいて前記薬剤の消費がないと仮定した場合に、前記薬剤を前記目標濃度以上の任意の濃度Ａで添加したときの、前記目標地点における前記薬剤の残留濃度の経時変化を演算する残留濃度演算工程と、（２）前記薬剤を前記濃度Ａで実際に添加したときの、前記目標地点における前記薬剤の残留濃度の経時変化を測定する残留濃度測定工程と、（３）前記残留濃度測定工程において測定された前記薬剤の残留濃度が、前記目標濃度に到達したあるいは到達したと推測される時点に対応する時点における、前記残留濃度演算工程での残留濃度演算値を求め、該演算値に基づき前記薬剤の添加量を決定する薬剤添加量決定工程とを有することを特徴とする薬剤添加量制御方法。
【請求項２】
液体が流通する反応ゾーンの入口部において、前記液体に添加する薬剤の添加量を、前記液体の流通経路上の目標地点における前記薬剤の残留濃度が目標濃度以上となるよう制御する装置であって、（１）前記反応ゾーンが完全混合型であり、該反応ゾーンにおいて前記薬剤の消費がないと仮定した場合に、前記薬剤を前記目標濃度以上の任意の濃度Ａで添加したときの、前記目標地点における前記薬剤の残留濃度の経時変化を演算する残留濃度演算手段と、（２）前記薬剤を前記濃度Ａで実際に添加したときの、前記目標地点における前記薬剤の残留濃度の経時変化を測定する残留濃度測定手段と、（３）前記残留濃度測定手段によって測定された前記薬剤の残留濃度が、前記目標濃度に到達したあるいは到達したと推測される時点に対応する時点における、前記残留濃度演算手段による残留濃度演算値を求め、該演算値に基づき前記薬剤の添加量を制御する薬剤添加量制御手段とを有することを特徴とする薬剤添加量制御装置。
【発明の詳細な説明】
【技術分野】
【０００１】
本発明は、薬剤添加量制御方法および薬剤添加量制御装置に関する。
【背景技術】
【０００２】
従来、薬剤の添加量を制御する技術がある。例えば、特許文献１には、薬液供給装置から所定量の次亜塩素酸ナトリウムが供給されたライン中の液体をサンプリングし、サンプリングした試料における次亜塩素酸ナトリウム濃度の減衰を測定し、該測定データに基づいて薬液供給装置からラインへ供給する次亜塩素酸ナトリウムの供給量を調節することを含むバラスト水の制御方法、並びに、その制御方法を用いたバラスト水処理システムの技術が開示されている。
【先行技術文献】
【特許文献】
【０００３】
【特許文献１】特開２０１２−１０６２２４号公報
【発明の概要】
【発明が解決しようとする課題】
【０００４】
薬剤の添加量の制御について、なお改良の余地がある。例えば、薬剤の添加量を適量に調節するために要する時間を短縮できることが望まれている。
【０００５】
本発明の目的は、薬剤の添加量を適量に調節するために要する時間を短縮することができる薬剤添加量制御方法および薬剤添加量制御装置を提供することである。
【課題を解決するための手段】
【０００６】
本発明の薬剤添加量制御方法は、液体が流通する反応ゾーンの入口部において、前記液体に添加する薬剤の添加量を、前記液体の流通経路上の目標地点における前記薬剤の残留濃度が目標濃度以上となるよう制御する方法であって、（１）前記反応ゾーンが完全混合型であり、該反応ゾーンにおいて前記薬剤の消費がないと仮定した場合に、前記薬剤を前記目標濃度以上の任意の濃度Ａで添加したときの、前記目標地点における前記薬剤の残留濃度の経時変化を演算する残留濃度演算工程と、（２）前記薬剤を前記濃度Ａで実際に添加したときの、前記目標地点における前記薬剤の残留濃度の経時変化を測定する残留濃度測定工程と、（３）前記残留濃度測定工程において測定された前記薬剤の残留濃度が、前記目標濃度に到達したあるいは到達したと推測される時点に対応する時点における、前記残留濃度演算工程での残留濃度演算値を求め、該演算値に基づき前記薬剤の添加量を決定する薬剤添加量決定工程とを有することを特徴とする。
【０００７】
本発明の薬剤添加量制御装置は、液体が流通する反応ゾーンの入口部において、前記液体に添加する薬剤の添加量を、前記液体の流通経路上の目標地点における前記薬剤の残留濃度が目標濃度以上となるよう制御する装置であって、（１）前記反応ゾーンが完全混合型であり、該反応ゾーンにおいて前記薬剤の消費がないと仮定した場合に、前記薬剤を前記目標濃度以上の任意の濃度Ａで添加したときの、前記目標地点における前記薬剤の残留濃度の経時変化を演算する残留濃度演算手段と、（２）前記薬剤を前記濃度Ａで実際に添加したときの、前記目標地点における前記薬剤の残留濃度の経時変化を測定する残留濃度測定手段と、（３）前記残留濃度測定手段によって測定された前記薬剤の残留濃度が、前記目標濃度に到達したあるいは到達したと推測される時点に対応する時点における、前記残留濃度演算手段による残留濃度演算値を求め、該演算値に基づき前記薬剤の添加量を制御する薬剤添加量制御手段とを有することを特徴とする。
【発明の効果】
【０００８】
本発明に係る薬剤添加量制御方法は、液体が流通する反応ゾーンの入口部において、液体に添加する薬剤の添加量を、液体の流通経路上の目標地点における薬剤の残留濃度が目標濃度以上となるよう制御する方法であって、（１）反応ゾーンが完全混合型であり、該反応ゾーンにおいて薬剤の消費がないと仮定した場合に、薬剤を目標濃度以上の任意の濃度Ａで添加したときの、目標地点における薬剤の残留濃度の経時変化を演算する残留濃度演算工程と、（２）薬剤を濃度Ａで実際に添加したときの、目標地点における薬剤の残留濃度の経時変化を測定する残留濃度測定工程と、（３）残留濃度測定工程において測定された薬剤の残留濃度が、目標濃度に到達したあるいは到達したと推測される時点に対応する時点における、残留濃度演算工程での残留濃度演算値を求め、該演算値に基づき薬剤の添加量を決定する薬剤添加量決定工程とを有する。本発明に係る薬剤添加量制御方法によれば、薬剤の添加量を適量に調節するために要する時間を短縮することができるという効果を奏する。
【図面の簡単な説明】
【０００９】
【図１】図１は、実施形態の制御に係るフローチャートである。
【図２】図２は、実施形態に係るシェールガス随伴水処理システムの概要図である。
【図３】図３は、反応ゾーンの模式図である。
【図４】図４は、入口部の濃度推移を示す図である。
【図５】図５は、出口部の濃度推移を示す図である。
【図６】図６は、実施形態の薬剤添加量決定方法の説明図である。
【発明を実施するための形態】
【００１０】
以下に、本発明の実施形態に係る薬剤添加量制御方法および薬剤添加量制御装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図６を参照して、実施形態について説明する。本実施形態は、薬剤添加量制御方法および薬剤添加量制御装置に関する。図１は、本発明の実施形態の制御に係るフローチャート、図２は、実施形態に係るシェールガス随伴水処理システムの概要図、図３は、反応ゾーンの模式図、図４は、入口部の濃度推移を示す図、図５は、出口部の濃度推移を示す図、図６は、実施形態の薬剤添加量決定方法の説明図である。
【００１２】
図２に示すシェールガス随伴水処理システム１００は、シェールガス生産用の坑井に圧入するフラクチャリング流体の処理システムである。シェールガスの生産にあたっては、坑井からフラクチャリング流体を圧入し、シェールガスを含む頁岩層を破砕する。頁岩層から放出された天然ガスは、フラクチャリング流体と共に坑井を介して排出される。坑井から回収されたフラクチャリング流体からは、気液分離により天然ガスが回収される。
【００１３】
シェールガス随伴水処理システム１００は、供給路１と、薬剤注入口２と、薬剤タンク３と、排出路４と、薬剤供給パイプ５と、薬剤供給量制御機構６と、残留濃度演算手段１０と、残留濃度測定手段１１と、薬剤添加量制御手段１２とを含んで構成されている。供給路１は、坑井２１にフラクチャリング流体を導く流通経路である。供給路１には、薬剤注入口２が形成されている。薬剤注入口２は、薬剤供給パイプ５を介して薬剤タンク３と連通している。薬剤タンク３は、薬剤を貯留するタンクである。本実施形態では、薬剤タンク３内にグルタルアルデヒドが貯留されている。薬剤タンク３内のグルタルアルデヒドは、薬剤供給パイプ５を介して薬剤注入口２から供給路１内のフラクチャリング流体に添加される。薬剤供給パイプ５には、薬剤供給量制御機構６が設けられている。薬剤供給量制御機構６は、流量制御弁や薬剤供給ポンプ等を含んで構成されている。
【００１４】
供給路１のフラクチャリング流体は、ポンプ等によって坑井２１に圧流され、頁岩層２２を破砕する。破砕された頁岩層２２から排出されるシェールガスは、坑井２１内をフラクチャリング流体と共に流通し、排出路４を介して排出される。排出路４は、坑井２１内のフラクチャリング流体およびシェールガスを排出する流通経路である。排出路４は、フラクチャリング流体を排出する液体排出路４Ａとシェールガス等の気体を排出する気体排出路４Ｂとに分岐している。坑井２１から排出されるフラクチャリング流体とシェールガスとの混合流体は、気液分離され、フラクチャリング流体は液体排出路４Ａに、シェールガスは気体排出路４Ｂにそれぞれ送り込まれる。
【００１５】
フラクチャリング流体には、殺菌剤や腐食防止剤等の薬剤が添加される。本実施形態のシェールガス随伴水処理システム１００では、フラクチャリング流体に対して、グルタルアルデヒドが添加される。薬剤がその効果を適度に発揮できるように、フラクチャリング流体における薬剤の濃度を適切に調節できることが望ましい。例えば、坑井２１から流出するフラクチャリング流体における薬剤の残留濃度を目標濃度に制御できることが望ましい。
【００１６】
反応ゾーンから流出する液体における薬剤の残留濃度を制御する場合、反応ゾーンの入口部において薬剤を添加し、反応ゾーンの出口部の残留濃度を検出して薬剤の添加量を調節することが考えられる。従来は、例えば、反応ゾーンの入口部において薬剤の添加を開始すると共に反応ゾーンの出口部の残留濃度の推移を測定し、残留濃度が定常となったときの残留濃度に基づいて、薬剤の添加量を調節する添加量制御方法が行われていた。しかしながら、この制御方法では、残留濃度が定常状態となるまで待たなければならず、添加量の調節に多くの時間を要するという問題があった。
【００１７】
本実施形態に係る薬剤添加量制御方法は、液体が流通する反応ゾーン２０の入口部２０Ａにおいて、液体に添加する薬剤の添加量を、液体の流通経路上の目標地点における薬剤の残留濃度が目標濃度以上となるように制御する方法である。
【００１８】
本実施形態に係る薬剤添加量制御方法は、以下に詳しく説明するように、（１）薬剤の消費がないと仮定して、目標濃度以上の濃度Ａで薬剤を添加したときの反応ゾーンにおける薬剤の残留濃度の経時変化（図６の未消費残留濃度Ｄｃ）を演算する残留濃度演算工程と、（２）薬剤を実際に添加したときの残留濃度の経時変化（図６の残留濃度測定値Ｄｒ）を測定する残留濃度測定工程と、（３）残留濃度測定工程で測定された薬剤の残留濃度が目標濃度（図６の残留濃度目標値Ｄｔ）に到達したあるいは到達したと推測される時点（図６の時刻ｔ１）に基づいて薬剤の添加量（図６の添加濃度指令値Ｄｉｎ）を決定する薬剤添加量決定工程とを有する。本実施形態に係る薬剤添加量制御方法によれば、薬剤の添加量を適量に調節するために要する時間の短縮を図ることができる。
【００１９】
また、本実施形態に係る薬剤添加量制御装置１−１は、図２に示すように、薬剤の消費がないと仮定して、目標濃度以上の濃度Ａで薬剤を添加したときの反応ゾーン２０における薬剤の残留濃度の経時変化を演算する残留濃度演算手段１０と、薬剤を実際に添加したときの残留濃度の経時変化（図６の残留濃度測定値Ｄｒ）を測定する残留濃度測定手段１１と、残留濃度測定手段によって測定された薬剤の残留濃度が目標濃度（図６の残留濃度目標値Ｄｔ）に到達した時点（図６の時刻ｔ１）に基づいて薬剤の添加量を制御する薬剤添加量制御手段１２とを有する。本実施形態に係る薬剤添加量制御装置１−１によれば、薬剤の添加量を適量に調節するために要する時間の短縮を図ることができる。
【００２０】
薬剤添加量制御装置１−１は、液体が流通する反応ゾーン２０の入口部２０Ａにおいて、液体に添加する薬剤の添加量を、液体の流通経路上の目標地点における薬剤の残留濃度が目標濃度以上となるように制御する装置である。薬剤添加量制御装置１−１は、残留濃度演算手段１０と、残留濃度測定手段１１と、薬剤添加量制御手段１２とを含んで構成されている。
【００２１】
本実施形態の反応ゾーン２０は、供給路１と、坑井２１と、頁岩層２２と、排出路４とを含んで構成されている。供給路１は反応ゾーン２０の入口部２０Ａに相当し、排出路４は反応ゾーン２０の出口部２０Ｂに相当する。
【００２２】
残留濃度測定手段１１は、出口部２０Ｂにおけるフラクチャリング流体の薬剤濃度を測定する。残留濃度測定手段１１は、薬剤を濃度Ａで実際に添加したときの、目標地点における薬剤の残留濃度の経時変化を測定することができる。本実施形態の残留濃度測定手段１１は、吸光光度計であり、出口部２０Ｂにおけるフラクチャリング流体の吸光光度（Ｅ２８０）を連続的に測定する。残留濃度測定手段１１によって測定された吸光光度は、例えば残留濃度演算手段１０によってグルタルアルデヒドの濃度に換算される。
【００２３】
残留濃度演算手段１０は、反応ゾーン２０が完全混合型であり、かつ反応ゾーン２０において薬剤の消費がないと仮定した場合の目標地点における薬剤の残留濃度の任意の時点における値および残留濃度の経時変化を演算する機能を有する。より具体的には、残留濃度演算手段１０は、薬剤を目標濃度以上の任意の濃度Ａでフラクチャリング流体に添加したときの、目標地点における残留濃度の任意時点の値および経時変化を演算する。
【００２４】
図３には、反応ゾーン２０が模式的に示されている。反応ゾーン２０には、入口部２０Ａから一定濃度Ｃｏinの薬剤を含むフラクチャリング流体が流入する。反応ゾーン２０が薬剤を含まないフラクチャリング流体で満たされた状態から、時刻ｔ＝０に一定濃度Ｃｏinの薬剤を含むフラクチャリング流体の流入が開始する。反応ゾーン２０が完全混合型であると仮定すると、出口部２０Ｂでの薬剤の残留濃度の経時変化を示す流出濃度関数Ｆ（ｔ）は、下記［数１］で表される。
【数１】
2014164517.tif 000003
ここで、ｔは、薬剤注入開始からの経過時間、τは、入口部２０Ａから出口部２０Ｂまでの薬剤の滞留時間であり、下記式（１）で表される。
τ＝（反応ゾーン２０の体積）／（フラクチャリング流体の流量）…（１）
【００２５】
図４は、入口部２０Ａの薬剤濃度の推移を示す図、図５は、出口部２０Ｂの薬剤濃度の推移を示す図である。図４に示すように、時刻ｔ＝０に薬剤を含むフラクチャリング流体の流入が開始すると、入口部２０Ａで検出される濃度は、一定濃度Ｃｏinで推移する。図５の未消費残留濃度Ｄｃは、上記［数１］によって算出された濃度であり、他成分との反応や熱によって薬剤が消費されないと仮定した場合の出口部２０Ｂの薬剤濃度である。実際には、汚濁成分や熱との反応によって、フラクチャリング流体の薬剤濃度は低下する。図５に示す残留濃度測定値Ｄｒは、残留濃度測定手段１１によって測定される出口部２０Ｂの薬剤濃度の一例である。
【００２６】
残留濃度測定手段１１は、薬剤を濃度Ａで実際に添加したときの、目標地点における薬剤の残留濃度の経時変化を測定する。本実施形態では、出口部２０Ｂが目標地点である。残留濃度測定手段１１は、所定の間隔で残留濃度を測定し測定結果を示す信号を残留濃度演算手段１０に出力する。残留濃度演算手段１０は、残留濃度測定手段１１によって測定された残留濃度が、出口部２０Ｂにおける目標濃度に到達した時点あるいは到達したと推測される時点を検出する。残留濃度演算手段１０は、測定された残留濃度が、目標濃度と一致する場合、当該残留濃度が測定された時点を目標濃度に到達した時点として検出する。
【００２７】
また、残留濃度演算手段１０は、測定された残留濃度が、目標濃度を超過した場合、残留濃度が目標濃度に到達したと推測される時点を算出する。残留濃度演算手段１０は、例えば、補間により残留濃度が目標濃度に到達した時点を推測してもよく、残留濃度の測定結果から残留濃度の推移を示す関数を決定し、当該関数に基づいて残留濃度が目標濃度に到達した時点を推測してもよい。
【００２８】
薬剤添加量制御手段１２は、残留濃度測定手段１１によって測定された薬剤の残留濃度が、目標濃度に到達したあるいは到達したと推測される時点に対応する時点における、残留濃度演算手段１０による残留濃度演算値を求め、該演算値に基づき薬剤の添加量を制御する。以下に説明するように、薬剤添加量制御手段１２は、残留濃度が目標濃度に到達したあるいは到達したと推測される時点（以下、単に「目標到達時点ｔ１」と称する。）から添加濃度指令値Ｄｉｎを決定する。
【００２９】
図６には、坑井２１の体積が２０，０００［ｍ３］、フラクチャリング流体の出口部２０Ｂにおける流量が１０，０００［ｍ３／日］、残留濃度目標値Ｄｔが５［ｍｇ／Ｌ］、濃度Ａが１０［ｍｇ／Ｌ］の条件で決定される添加濃度指令値Ｄｉｎの一例が示されている。目標到達時点ｔ１は、測定された残留濃度が残留濃度目標値Ｄｔ（５［ｍｇ／Ｌ］）に到達したあるいは到達したと推測される時点である。図６では、グルタルアルデヒドの添加および残留濃度の測定を開始してから１．４日後に残留濃度が目標濃度に到達している。
【００３０】
図６によれば、目標到達時点ｔ１に対応する時点における未消費残留濃度Ｄｃの値（８．６［ｍｇ／Ｌ］）が、当該対応する時点における残留濃度演算手段１０による残留濃度演算値である。つまり、反応ゾーン２０でグルタルアルデヒドの消費がないとすれば、１．４日後の出口部２０Ｂにおける薬剤の残留濃度は８．６［ｍｇ／Ｌ］であると推測される。これより、入口部２０Ａで反応ゾーン２０に８．６［ｍｇ／Ｌ］のグルタルアルデヒドを注入すれば、出口部２０Ｂのグルタルアルデヒドの濃度が目標濃度の５［ｍｇ／Ｌ］になると推定できる。本実施形態では、目標到達時点ｔ１の残留濃度演算値が、添加濃度指令値Ｄｉｎとされる。薬剤添加量制御手段１２は、添加濃度指令値Ｄｉｎを実現するように、薬剤供給量制御機構６によってフラクチャリング流体に対する薬剤の添加量を制御する。
【００３１】
本実施形態に係る薬剤添加量制御装置１−１は、目標到達時点ｔ１に基づいて薬剤の添加量を制御する。これにより、測定される残留濃度が定常状態となったことを確認した時刻ｔ２以降において薬剤の添加量を調節するよりも早いタイミングで薬剤の添加量を調節することができる。よって、薬剤の添加量を速やかに適切な添加量に調節することができる。
【００３２】
図１を参照して、本実施形態に係る薬剤添加量制御方法について説明する。図１に示す制御フローは、フラクチャリング流体に対する薬剤の添加量を調節するときに実行されるものであり、例えば、フラクチャリング流体の圧入を開始するときに実行されてもよく、所定の間隔で実行されてもよく、残留濃度測定値Ｄｒと残留濃度目標値Ｄｔとの差異に基づいて実行されてもよい。
【００３３】
まず、ステップＳ１０では、配管への坑水流入が開始される。フラクチャリング流体を圧送するポンプが駆動されて、供給路１を介して坑井２１にフラクチャリング流体の圧送が開始される。フラクチャリング流体の供給開始や停止、供給量の制御は、例えば、図示しない流体供給量制御手段によってなされてもよく、薬剤添加量制御手段１２によってなされてもよい。本実施形態では、フラクチャリング流体が一定の流量で坑井２１に圧入される。ステップＳ１０が実行されると、ステップＳ２０に進む。
【００３４】
ステップＳ２０では、薬剤添加量制御手段１２により、入口部２０Ａにおいてグルタルアルデヒドの注入が開始される。薬剤添加量制御手段１２は、薬剤供給量制御機構６に対して、フラクチャリング流体に対するグルタルアルデヒドの注入を指令する。薬剤添加量制御手段１２は、薬剤供給量制御機構６に対して、フラクチャリング流体中のグルタルアルデヒド濃度を濃度Ａ［ｍｇ／Ｌ］とするように、薬剤添加量の指令値を出力する。
【００３５】
濃度Ａは、フラクチャリング流体に対するグルタルアルデヒドの添加量を決定する際に反応ゾーン２０に流入させる流体の初期添加濃度であり、残留濃度目標値Ｄｔ以上の任意の濃度とすることができる。本実施形態では、残留濃度目標値Ｄｔが５ｍｇ／Ｌであるのに対して、濃度Ａは１０ｍｇ／Ｌに設定されている。濃度Ａは、残留濃度目標値Ｄｔに対する倍率で定められてもよく、残留濃度目標値Ｄｔに対する差分で定められてもよい。例えば、濃度Ａは、残留濃度目標値Ｄｔに対して２倍の濃度として定められてもよく、残留濃度目標値Ｄｔに対して所定の濃度（一例として５［ｍｇ／Ｌ］）だけ大きな濃度として定められてもよい。ステップＳ２０が実行されると、ステップＳ３０に進む。
【００３６】
ステップＳ３０では、残留濃度測定手段１１による出口部２０Ｂの吸光光度の測定が開始される。残留濃度測定手段１１は、薬剤添加量制御手段１２によってグルタルアルデヒドの注入が開始されると、フラクチャリング流体の吸光光度の測定を開始する。残留濃度測定手段１１は、吸光光度（Ｅ２８０）の測定を連続的に実行し、測定結果を示す信号を残留濃度演算手段１０に対して出力する。ステップＳ３０は、薬剤を濃度Ａで実際に添加したときの、目標地点における薬剤の残留濃度の経時変化を測定する残留濃度測定工程に対応している。ステップＳ３０が実行されると、ステップＳ４０に進む。
【００３７】
ステップＳ４０では、残留濃度演算手段１０により、出口部２０Ｂの残留濃度が残留濃度目標値Ｄｔに到達したか否かが判定される。残留濃度測定手段１１によって測定された吸光光度から換算されたグルタルアルデヒドの残留濃度が、残留濃度目標値Ｄｔ以上である場合、ステップＳ４０で肯定判定がなされる。ステップＳ４０の判定の結果、出口部２０Ｂにおけるグルタルアルデヒドの残留濃度が残留濃度目標値Ｄｔに到達したと判定された場合（ステップＳ４０−Ｙ）にはステップＳ５０に進み、そうでない場合（ステップＳ４０−Ｎ）にはステップＳ４０の判定が繰り返される。
【００３８】
ステップＳ５０では、残留濃度演算手段１０により、目標到達時点ｔ１等の演算がなされる。残留濃度演算手段１０は、出口部２０Ｂの残留濃度が残留濃度目標値Ｄｔに到達した時点を演算する。ステップＳ４０において肯定判定を行ったときの吸光光度から換算されたグルタルアルデヒドの残留濃度が、残留濃度目標値Ｄｔと等しい場合、当該吸光光度を測定した時点が残留濃度が残留濃度目標値Ｄｔに到達した時点とされる。一方、ステップＳ４０において肯定判定を行ったときの吸光光度から換算されたグルタルアルデヒドの残留濃度が、残留濃度目標値Ｄｔを超えている場合、当該吸光光度を測定した時点よりも前の時点において残留濃度が残留濃度目標値Ｄｔに到達したと推測される。この場合、それまでに測定された残留濃度の推移に基づいて、残留濃度が残留濃度目標値Ｄｔに到達したと推測される時点が決定される。
【００３９】
また、残留濃度演算手段１０は、反応ゾーン２０が完全混合型であり、反応ゾーン２０において薬剤の消費がないと仮定した場合に、薬剤を濃度Ａで添加したときの、出口部２０Ｂにおける薬剤の残留濃度の経時変化を演算する。すなわち、本実施形態では、ステップＳ５０において残留濃度演算工程が実行される。残留濃度演算手段１０によって演算された残留濃度の経時変化は、薬剤添加量制御手段１２に出力される。ステップＳ５０が実行されると、ステップＳ６０に進む。
【００４０】
ステップＳ６０では、薬剤添加量制御手段１２によって、最適注入濃度が決定される。薬剤添加量制御手段１２は、ステップＳ４０において測定された薬剤の残留濃度が、残留濃度目標値Ｄｔに到達したあるいは到達したと推測される時点に対応する時点における、残留濃度演算工程での残留濃度演算値を求める。図６を参照して説明すると、残留濃度測定値Ｄｒが残留濃度目標値Ｄｔに到達したあるいは到達したと推測される時点が、目標到達時点ｔ１である。目標到達時点ｔ１に対応する時点における未消費残留濃度Ｄｃの値が、添加濃度指令値Ｄｉｎとなる。薬剤添加量制御手段１２は、添加濃度指令値Ｄｉｎに基づき薬剤の添加量を決定する。すなわち、本実施形態では、ステップＳ６０において、薬剤添加量決定工程が実行される。
【００４１】
薬剤添加量制御手段１２は、例えば、供給路１を流れるフラクチャリング流体の流量Ｑ［Ｌ／ｓｅｃ］と、添加濃度指令値Ｄｉｎ［ｍｇ／Ｌ］とに基づいて、単位時間あたりの薬剤の添加量Ｗ［ｍｇ／ｓｅｃ］を下記式（２）により決定する。
Ｗ＝Ｄｉｎ／Ｑ…（２）
【００４２】
薬剤添加量制御手段１２は、薬剤注入口２からフラクチャリング流体に対して注入する薬剤の添加量を決定された添加量Ｗとするように、薬剤供給量制御機構６を制御する。ステップＳ６０が実行されると、本制御フローは終了する。
【００４３】
本実施形態に係る薬剤添加量制御方法によれば、薬剤を濃度Ａで添加した場合に目標地点の薬剤の残留濃度が目標濃度に到達した時点で薬剤添加量を決定することが可能となる。これにより、薬剤の残留濃度が定常となる前に適切な薬剤添加量を決定することができる。よって、本実施形態の薬剤添加量制御方法によれば、薬剤の添加量を適量に調節するために要する時間を短縮することができる。
【００４４】
また、本実施形態に係る薬剤添加量制御装置１−１によれば、薬剤を濃度Ａで添加した場合に目標地点の薬剤の残留濃度が目標濃度に到達した時点で薬剤の添加量を調節することができる。これにより、薬剤の残留濃度が定常となる前に適切な薬剤添加量に制御することができる。よって、本実施形態の薬剤添加量制御装置１−１によれば、薬剤の残留濃度を残留濃度目標値Ｄｔとするための薬剤添加量の制御に要する時間を短縮することができる。
【００４５】
なお、添加濃度指令値Ｄｉｎを決定する際の薬剤の濃度Ａに上限が設けられてもよい。例えば、出口部２０Ｂから排出される液体における薬剤の残留濃度に許容される上限が定められている場合、濃度Ａは、当該上限の濃度以下とされることが望ましい。
【００４６】
残留濃度演算工程と残留濃度測定工程の実行順序は、例示したものには限定されない。本実施形態では、残留濃度測定工程（ステップＳ３０）が残留濃度演算工程（ステップＳ５０）よりも先に実行されたが、これに代えて、残留濃度演算工程が残留濃度測定工程よりも先に実行されてもよい。また、残留濃度測定工程と残留濃度演算工程が並行して実行されてもよい。
【００４７】
［実施形態の第１変形例］
上記実施形態では、残留濃度演算手段１０は、目標地点における薬剤の残留濃度の経時変化を演算したが、これに代えて、任意の時点での目標地点における薬剤の残留濃度を演算するようにしてもよい。例えば、残留濃度演算手段１０は、目標到達時点ｔ１が与えられると、目標到達時点ｔ１における目標地点の薬剤の残留濃度を演算するものであってもよい。
【００４８】
［実施形態の第２変形例］
上記実施形態では、残留濃度測定手段１１が、フラクチャリング流体の吸光光度に基づいてグルタルアルデヒドの残留濃度を測定したが、残留濃度の測定方法はこれには限定されない。残留濃度測定手段１１は、他の方法により薬剤の残留濃度を測定するものであってもよい。
【００４９】
上記実施形態では、添加される薬剤がグルタルアルデヒドであったが、これには限定されない。また、上記実施形態では、薬剤添加量制御方法および薬剤添加量制御装置１−１がシェールガス随伴水処理システム１００のフラクチャリング流体に対する薬剤添加量を制御したが、これには限定されない。薬剤添加量制御方法および薬剤添加量制御装置１−１は、例えば、浄水場において上水に対する塩素等の薬剤の添加量を制御するものであってもよく、バラスト水に対する塩素等の薬剤の添加量を制御するものであってもよい。
【００５０】
［実施形態の第３変形例］
上記実施形態の方法（図１）において、出口部２０Ｂの薬剤の残留濃度が残留濃度目標値Ｄｔに到達しない場合が考えられる。測定される出口部２０Ｂの薬剤の残留濃度が定常となっても残留濃度が目標濃度に到達しない場合、フラクチャリング流体に対する薬剤の添加および残留濃度の測定をはじめからやり直すようにしてもよい。この場合、薬剤の添加を停止すると共にフラクチャリング流体の圧入を継続し、反応ゾーン２０内のフラクチャリング流体を薬剤が添加されていない流体で置き換えた後に、再度フラクチャリング流体に対する薬剤の添加および残留濃度の測定を開始する。このときに反応ゾーン２０に流入させるフラクチャリング流体の薬剤の濃度Ａは、前回の濃度Ａよりも高濃度とされる。濃度Ａの増分は、前回の定常となった残留濃度と目標濃度との差分に応じて定めることが好ましい。
【００５１】
上記の実施形態および変形例に開示された内容は、適宜組み合わせて実行することができる。
【符号の説明】
【００５２】
１−１  薬剤添加量制御装置
１  供給路
２  薬剤注入口
３  薬剤タンク
４  排出路
５  薬剤供給パイプ
６  薬剤供給量制御機構
１０  残留濃度演算手段
１１  残留濃度測定手段
１２  薬剤添加量制御手段
２０  反応ゾーン
２０Ａ  入口部
２０Ｂ  出口部
２１  坑井
２２  頁岩層
１００  シェールガス随伴水処理システム
Ｄｃ  未消費残留濃度
Ｄｉｎ  添加濃度指令値
Ｄｒ  残留濃度測定値
Ｄｔ  残留濃度目標値
ｔ１  目標到達時点
【図１】
2014164517.tif 000004
【図２】
2014164517.tif 000005
【図３】
2014164517.tif 000006
【図４】
2014164517.tif 000007
【図５】
2014164517.tif 000008
【図６】
2014164517.tif 000009